(57)【要約】【課題】集塵部の内部の集塵袋に付着した塵埃を効果的に除塵すること。【解決手段】電源コード４３を巻回したコードリール４４と、塵埃を捕集する集塵袋２９を有し前記集塵袋２９に付着した塵埃を除塵する除塵手段とを備え、前記除塵手段は、加振アーム体３７と、前記加振アーム体の一端と連動し前記集塵袋２９に振動を加える除塵板３９とを有し、前記加振アーム体３７の他端は、前記電源コード４３の引き出し時および／または電源コード４３の収納動作時に、回転する前記コードリール４４に形成された突起リブ４６と係合して揺動し、連動する前記除塵板３９を揺動する構成とした。これにより、電源コード４３の収納あるいは引き出し時のコードリール４４の回転と連動して、除塵板３９が揺動し、集塵袋２９を叩いて、集塵袋２９に大きな振動を伝えることができ、集塵袋２９に付着した塵埃を効率的に徐塵可能となる。【選択図】図５
2006192045.tif 000002
【特許請求の範囲】
【請求項１】
吸引風を発する電動送風機と、電源コードを巻回したコードリールと、塵埃を捕集する集塵袋を有し前記集塵袋に付着した塵埃を除塵する除塵手段とを備え、前記除塵手段は、加振アーム体と、前記加振アーム体の一端と連動し前記集塵袋に動作を加える除塵板とを有し、前記加振アーム体の他端は、前記電源コードの引き出し時および／または電源コードの収納動作時に、回転する前記コードリールに形成された突起リブと係合して揺動し、連動する前記除塵板を揺動する構成とした電気掃除機。
【請求項２】
コードリールに略円周状のリブ体を形成し、前記リブ体と突起リブとを、連続する形状とした請求項１に記載の電気掃除機。
【請求項３】
突起リブとリブ体の内、一方を略円弧状とし、もう一方を略角状とした請求項２に記載の電気掃除機。
【請求項４】
突起リブは複数個とし、コードリールの回転により周期的に、加振アーム体を揺動させる構成とした請求項１〜３のいずれか１項に記載の電気掃除機。
【請求項５】
突起リブを、略円周状のリブ体に等間隔に配列させた請求項４に記載の電気掃除機。
【請求項６】
突起リブを、略円周状のリブ体に不規則間隔に配列させた請求項４に記載の電気掃除機。
【請求項７】
突起リブを、コードリール外周の内側に設けた請求項４に記載の電気掃除機。
【発明の詳細な説明】
【技術分野】
【０００１】
本発明は、集塵手段に塵埃が蓄積しても吸引力の低下を防止できる電気掃除機に関するものである。
【背景技術】
【０００２】
従来のこの種の電気掃除機は、下記、特許文献１参照に記載されているようなものが一般的であった。以下、図１３、図１４を用いて説明する。
【０００３】
掃除機本体１の後方には、吸引用の電動送風機２を内蔵した電動送風機室３が設けられ、前記掃除機本体１の前方には集塵袋４を内蔵した集塵室５が備えられている。
【０００４】
また、電動送風機室３側には、電動送風機２に電力を供給するための電源コード６、電源コード６を巻き取るためのコードリール７が配設されており、コードリール７の回転に連動して除塵歯車体８が回転し、前記除塵歯車体８の回転により除塵子９と除塵カム１０をそれぞれ回転させ、集塵袋４に、付着した塵埃を叩き除塵することで、空気抵抗を緩和させ吸い込み力の低下を防止させていた。
【特許文献１】特公昭６０―３８１３３号公報
【発明の開示】
【発明が解決しようとする課題】
【０００５】
しかしながら、上記の構成では、電源コード６の引き出し時、もしくは、収納動作する際に行う、除塵子９と除塵カム１０を連動させる除塵手段構成が複雑であり、多くの部品点数が必要であった。
【０００６】
また、電源コードを引き出し時、もしくは、収納動作する際、除塵歯車体８と除塵カム及び、除塵子９等の摩擦により抵抗が増加し、コードリールの巻き込みが途中で止まるといった、コードリールの巻き込み性が悪化する問題も考えられた。
【０００７】
本発明は上記課題を解決するもので、集塵袋に大きな振動を伝えることができ、その結果、集塵袋の内部に付着し堆積した塵埃を確実で効果的に除塵でき、吸引風の低下を減少させ、集塵性能を向上することを目的とする。
【課題を解決するための手段】
【０００８】
前記従来の課題を解決するために本発明は、吸引風を発する電動送風機と、電源コードを巻回したコードリールと、塵埃を捕集する集塵袋を有し前記集塵袋に付着した塵埃を除塵する除塵手段とを備え、前記除塵手段は、加振アーム体と、前記加振アーム体の一端と連動し前記集塵袋に動作を加える除塵板とを有し、前記加振アーム体の他端は、前記電源コードの引き出し時および／または電源コードの収納動作時に、回転する前記コードリールに形成された突起リブと係合して揺動し、連動する前記除塵板を揺動する構成としたものである。
【０００９】
これによって、集塵袋に大きな振動を伝えることができ、その結果、集塵袋に付着した塵埃を確実で効率的に除塵できることで、塵埃を集塵し続けても集塵性能が落ち難い電気掃除機を提供できる。
【発明の効果】
【００１０】
本発明は、集塵部の内部に付着し堆積した塵埃を効率的に除塵でき、吸引風の低下を減少させ、集塵性能を向上させる電気掃除機を提供することができる。
【発明を実施するための最良の形態】
【００１１】
第１の発明は、吸引風を発する電動送風機と、電源コードを巻回したコードリールと、塵埃を捕集する集塵袋を有し前記集塵袋に付着した塵埃を除塵する除塵手段とを備え、前記除塵手段は、加振アーム体と、前記加振アーム体の一端と連動し前記集塵袋に動作を加える除塵板とを有し、前記加振アーム体の他端は、前記電源コードの引き出し時および／または電源コードの収納動作時に、回転する前記コードリールに形成された突起リブと係合して揺動し、連動する前記除塵板を揺動する構成としたものである。
【００１２】
これにより、電源コードの収納あるいは引き出し時のコードリールの回転と連動し、除塵板３９が揺動して、集塵袋を叩き、集塵袋に大きな振動を伝えることができ、集塵袋に付着した塵埃を効率的に徐塵可能となる。
【００１３】
第２の発明は、第１の発明のコードリールに略円周状のリブ体を形成し、前記リブ体と突起リブとを、連続する形状とすることより、コードリールが回転した時、加振アーム体の他端と当接する突起リブとの押圧動作がスムーズとなり、その結果、除塵の際の音を低減することができる。
【００１４】
第３の発明は、第２の発明の突起リブとリブ体の内、一方を略円弧状とし、もう一方を略角状とすることより、コードリールが回転した時、加振アーム体の他端と略円弧状の突起リブが当接する時は動作がスムーズとなり、また、加振アーム体の他端が、略角状の突起リブから解放され突起リブから離れる時は、略角状の突起リブの段差分、加振アーム体に衝撃力を与え、除塵手段における、除塵効果の拡大が図れるものとなる。
【００１５】
第４の発明は、第１から第３のいずれか１つの発明の突起リブを、複数個とし、コードリールの回転により周期的に、加振アーム体を揺動させる構成とすることより、コードリールの一回転で加振アーム体を動作させる回数が増し、塵埃を効率的に除塵できることとなる。
【００１６】
第５の発明は、第４の発明の突起リブを、略円周状のリブ体に等間隔に配列させることより、コードリールの一回転で加振アーム体を動作させる動きが均一化し、加振アーム体を動作がスムーズとなり結果、除塵時の音質の変化を低減することができる。
【００１７】
第６の発明は、第４の発明の突起リブを、略円周状のリブ体に不規則間隔に配列させることより、仮に電源コードを少し引き出した時、または、途中で止めたりした場合でも、コードリールのわずかな回転でもコードリールに形成された不規則間隔に配列せれた突起リブにて加振アーム体を確実に動作させることが可能となり塵埃を効率的に除塵できることとなる。
【００１８】
第７の発明は、第４の発明の突起リブを、コードリール外周の内側に設けることより、コードリール大きくする必要もなく、その結果、掃除機本体も大きくすることもなくコンパクト化が可能となる。
【００１９】
以下、本発明の実施の形態について、図面を参照しながら説明する。なお、この実施の形態によりこの発明が限定されるものではない。
【００２０】
（実施の形態１）
図１は第１の実施の形態における電気掃除機の全体斜視図、図２は、同掃除機本体の平面図、図３は同掃除機本体の断面図であり、図４は、同掃除機本体の除塵手段を示した一部切り欠き断面図を示す。図５は、同掃除機本体の除塵手段を示した部分断面図であり、
図６は、同掃除機本体の除塵手段を示した正面断面図である。図７は、同掃除機本体の除塵手段を示した斜視図を示す。図８は、同掃除機本体の加振アーム体と突起リブ４６示した部分拡大図である。図９は、同掃除機本体の加振アーム体と突起リブ４６示した部分拡大図である。
【００２１】
図１〜図３において、掃除機本体１２は、手元ハンドル１３とホース継ぎ手１４付きのホース１５とを介して延長管１６を連結し、延長管１６に取り付けられ塵埃を吸引する吸込具１７に連通している。また、掃除機本体１２は、枢支された１個の前輪キャスター１８と一対の後輪１９とを備えている。
【００２２】
この掃除機本体１２は、図３に示すように、下本体２０と上本体２１とで外郭を構成している。この掃除機本体１２の後方側に電動送風機２２が配設されており、電動送風機２２は、吸引風を発するもので、前方を第１サポートゴム２３で支持し、後方を第２サポートゴム２４を介して第１モーターカバー２５と第２モーターカバー２６により支持されており、下本体２０に装着し固定するようになっている。
【００２３】
掃除機本体１２の前方側は、集塵室２７が形成され、集塵室２７上方には、この集塵室２７を開閉自在に閉鎖する集塵蓋２８が設けられており、この集塵室２７内には塵埃を捕集する集塵袋２９が着脱自在に具備されている。
【００２４】
電動送風機室３０と集塵室２７を仕切る仕切壁３１は、下本体２０より設けられており、この仕切壁３１の上方にはパッキン３２が設けられており、パッキン３２にて集塵室２７内の空気タイトを行い気密性を確保している。
【００２５】
電動送風機２２前方の仕切壁３１には連通口３３が設けられており、電動送風機２２と、集塵室２７とが連通するようになっており、連通口３３の前方には、電動送風機２２に塵埃が進入することを防ぐフィルター３４が配設されている。
【００２６】
フィルター３４と集塵袋２９との間には、集塵袋２９を叩いて振動を与える除塵板３５を備えた除塵手段３６が設けられている。
【００２７】
除塵手段３６の構成及び動作の詳細を図４、図５及び、図６、図７にて説明する。
【００２８】
加振アーム体３７の一端３８は集塵室２７側で棒状の支軸３９が形成されており、この支軸３９には、除塵板３５と着脱自在に係止されている。また、加振アーム体３７は下本体２０に具備されたこ加振アーム支持体４０の軸４１に軸支され、図５で示すように矢印Ａ方向に回転自在に形成されている。
【００２９】
また、加振アーム体３７の他端４２は、電動送風機室３０と集塵室２７を仕切る仕切壁３１より電動送風機室３０側に突出た形状となっている。
【００３０】
一方、電動送風機室３０側には、電動送風機２２に電力を供給する電源コード４３を巻き付けて収納できる、コードリール４４を備えたコード巻取り装置４５が配設されており、電源コード４３の引き出し時、もしくは、収納動作させることより、前記コードリール４４も回転する構成となっている。
【００３１】
コードリール４４には突起リブ４６が形成されており、加振アーム体３７の他端４２が当接するように設けられている。
【００３２】
加振アーム体３７の他端４２の下部には、バネ４７が設けられており加振アーム体３７の他端４２は上方側に向くよう付勢されている。また、加振アーム体３７の一端３８は、図４で示すように常に矢印Ｂ方向に付勢されている。
【００３３】
コード巻取り装置４５のコードリール４４は、隔壁体４８に軸支されており、この隔壁体４８には、コードリール４４の回転を制止および解放を抑制させるブレーキレバー４９が回動自在に備えており、ブレーキレバー４９の一端側には、ブレーキレバー４９と連動するブレーキボタン５０が設けられている。
【００３４】
以上のように構成された除塵手段３６について、以下その動作、作用を説明する。
【００３５】
図５において、電源コード４３の引き出し時、コードリール４４に形成された突起リブ４６も回動する。突起リブ４６の回動に従って加振アーム体３７の他端４２は突起リブ４６に押圧され図５で示す矢印Ｃ方向に回動する。さらに、コードリール４４が回動すれば、加振アーム体３７の他端４２は突起リブ４６の押圧からはずれ、バネ４７の反発力より、図５で示すＢ方向に衝撃的に動作する。この時、加振アーム体３７の一端３８と連動している除塵板３５にも衝撃的な動作が生じ除塵板３５に面した集塵袋２９を叩き、集塵袋２９に付着した塵埃を除塵させることができる。
【００３６】
その結果、除塵手段３６の構成が低ランニングコストで集塵袋２９に大きな振動を伝えることができ、集塵袋２９に付着した塵埃を確実に除塵させる。
【００３７】
特に、突起リブ４６が、回転するコードリール４４の外周周辺に設けられており、この突起リブ４６で加振アーム体３７の端部を押圧する際、コードリール４４の大きな半径が利用でき、加振アーム体３７の端部を押圧する力が小さくても、大きなトルクを出力することが可能になり、結果として、除塵板３５に大きな力を伝達でき、集塵袋２９に大きな振動を伝えて、集塵袋２９に付着した塵埃を、効率よく除塵させることができる。
【００３８】
図５、図７において、コードリール４４には、略円周状のリブ体５１が形成されており、この略円周状のリブ体５１は、コードリール４４に形成された突起リブ４６の両端とつながった形状となっている。
【００３９】
このことより、コードリール４４が回転した時、加振アーム体３７の他端４２が、突起リブ４６に乗り上げられる動作がスムーズとなり、その結果、除塵の際の異音を低減することができる。
【００４０】
また、図８において、コードリール４４に形成された突起リブ４６の一方は略円弧状５２となっており、もう一方が略角状５３と形成されている。
【００４１】
これによって、コードリール４４が回転する時、加振アーム体３７の他端４２は、略円弧状５２の突起リブ４６に押圧されるまでの動作がスムーズとなり、さらにコードリール４４が回転し、加振アーム体３７の他端４２が、略角状５３の突起リブ４６から離れ解放されると、突起リブ４６と、リブ体５１の段差分、加振アーム体３７に、バネ４７の反発力により衝撃力が加えられると同時に、加振アーム体３７と連動する除塵板３５にも衝撃力が加えられ、この衝撃力で集塵袋２９を叩き、効率良く除塵を行うことができる。
【００４２】
また、図５、図７において、コードリール４４に形成された突起リブ４６は、複数個設けられている。
【００４３】
このことより、コードリール４４の一回転で加振アーム体３７を動作させる回数が複数回となり、集塵袋２９付着した塵埃を叩く回数が増し除塵効果の拡大が図れるものとなる。
【００４４】
図５において、コードリール４４に形成された複数個の突起リブ４６は、略円周状のリブ体５１に等間隔に配列されている。
【００４５】
この結果、コードリール４４の一回転で加振アーム体３７を動作させる動きが均一化し、また、加振アーム体３７の動作がスムーズとなり、除塵時の音質の変化を低減することができる。
【００４６】
また、図９に示すように、コードリール４４に形成された複数個の突起リブ４６は、略円周状のリブ体５１に不規則間隔に配列されている。
【００４７】
このことより、仮に電源コード４３を少し引き出した時、または、途中で止めたりした場合でも、コードリール４４に形成された不規則間隔に配列せれた突起リブ５１にて動作する加振アーム体３７は、コードリール４４の半回転で数回動作させることも可能となり、確実で、かつ、低ランニングコストで塵埃を効率的に除塵できることとなる。
【００４８】
また、図５、図７において、コードリール４４に形成された複数個の突起リブ４６は、コードリール４４の外周４４ａ内に配設されている。
【００４９】
このことより、突起リブ４６によってコードリール４４を大きくする必要もなく、その結果、コード巻取り装置４５が大きくなることもなく、掃除機本体１２内のスペースを有効に活用し掃除機本体１２のコンパクト化が可能となる。
【００５０】
また、図８に示すように、加振アーム体３７の他端４２で、コードリール４４に形成された突起リブ４６と当接する当接部５４が略円弧状に形成されている。
【００５１】
このことより、コードリール４４が回転した時、加振アーム体３７の他端４２が、突起リブ４６に乗り上げられる動作がスムーズとなり、その結果、電源コード４３の引き出し時、もしくは、収納動作の操作性を向上させることができる。
【００５２】
（実施の形態２）
図１０は、本発明の第２の実施の形態における電気掃除機の要部断面図である。本実施の形態は、実施の形態１から除塵手段３６のコードリール４４まわりを詳細に表したものである。なお、実施の形態１と同符号のものは同一構造を有し、その説明は省略する。
【００５３】
図１０において、加振アーム体３７の他端４２で、コードリール４４に形成された突起リブ４６と当接する当接部５４、もしくは、コードリール４４に形成された突起リブ４６のどちらか一方または両方に吸音材５５が固着されている。
【００５４】
このことより、除塵の際に発する音を低減することができる。
【００５５】
（実施の形態３）
図１１は、本発明の第３の実施の形態における電気掃除機の要部断面図である。本実施の形態は、実施の形態１から除塵手段３６のコードリール４４まわりを詳細に表したものである。なお、実施の形態１と同符号のものは同一構造を有し、その説明は省略する。
【００５６】
図１１において、加振アーム体３７の他端４２で、コードリール４４に形成された突起リブ４６と当接する当接部５４、もしくは、コードリール４４に形成された突起リブ４６のどちらか一方または両方に金属部材５６が固着されている。
【００５７】
このことより、加振アーム体３７の他端４２と、コードリール４４に形成された突起リブ４６とが当接することによる磨耗を低減させ、その結果、加振アーム体３７及び、コードリール４４の耐久性を向上させることが可能となる。
【００５８】
（実施の形態４）
図１２は、本発明の第４の実施の形態４を示す掃除機本体の要部断面図である。本実施の形態は、実施の形態１から除塵板３５の動作を詳細に表したものである。なお、実施の形態１と同符号のものは同一構造を有し、その説明は省略する。
【００５９】
図３、図１２において、電動送風機室３０と集塵室２７を仕切る仕切壁３１は、下本体２０より設けられており、この仕切壁３１の上方にはパッキン３２が設けられており、パッキン３２にて集塵室２７内の空気タイトを行い気密性を確保している。
【００６０】
電動送風機２２前方の仕切壁３２には連通口３３が設けられており、電動送風機２２と、集塵室２７とが連通するようになっており、連通口３３の前方には、電動送風機２２に塵埃が進入することを防ぐフィルター３４が配設されている。
【００６１】
フィルター３４と集塵袋２９との間には、集塵袋２９を叩いて振動を与える除塵板３５が備えられている。
【００６２】
図１２において、加振アーム体３７の他端４２は、コードリール４４に形成された突起リブ４６の高さに応じて、矢印Ｄ方向及び、矢印Ｅ方向に回動させる。
【００６３】
このとき、加振アーム体３７が矢印Ｄ方向に回動すれば、集塵袋２９に付着した塵埃を除塵板３５が叩き、また、加振アーム体３７が矢印Ｅ方向に回動すれば、フィルター３４に付着した塵埃を除塵板３５が叩く構成なっている。
【００６４】
このことより、集塵袋２９に付着した塵埃、フィルター３４に付着した塵埃の双方を除塵することで、低ランニングコストで効率良く除塵を行うことができる。
【産業上の利用可能性】
【００６５】
以上のように、本発明にかかる電気掃除機は、集塵部の内部に付着し堆積した塵埃を効果的に除塵でき、吸引風の低下を減少し、集塵性能を向上させ、家庭、業務用等の用途に適応できる。
【図面の簡単な説明】
【００６６】
【図１】本発明の実施の形態１を示す電気掃除機の全体斜視図
【図２】同、電気掃除機本体の平面図
【図３】同、電気掃除機本体の断面図
【図４】同、電気掃除機本体の除塵手段を示した一部切り欠き断面図
【図５】同、電気掃除機本体の除塵手段を示した部分断面図
【図６】同、電気掃除機本体の除塵手段を示した正面断面図
【図７】同、電気掃除機本体の除塵手段を示した斜視図
【図８】同、電気掃除機本体の加振アーム体と突起リブ示した部分拡大図
【図９】同、電気掃除機本体の加振アーム体と突起リブ示した部分拡大図
【図１０】本発明の第２の実施の形態における電気掃除機本体の要部断面図
【図１１】本発明の第３の実施の形態における電気掃除機本体の要部断面図
【図１２】本発明の第４の実施の形態における電気掃除機本体の要部断面図
【図１３】従来の電気掃除機本体の要部断面図
【図１４】従来の電気掃除機本体の除塵手段の分解斜視図
【符号の説明】
【００６７】
１２  掃除機本体
２２  電動送風機
２９  集塵袋
３４  フィルター
３５  除塵板  
３６  除塵手段
３７  加振アーム体
３８  一端
４２  他端
４３  電源コード
４４  コードリール
４４a 外周
４６  突起リブ
５１  リブ体
５２  略円弧状
５３  略角状
５４  当接部
５５  吸音材
５６  金属部材
【図１】
2006192045.tif 000003
【図２】
2006192045.tif 000004
【図３】
2006192045.tif 000005
【図４】
2006192045.tif 000006
【図５】
2006192045.tif 000007
【図６】
2006192045.tif 000008
【図７】
2006192045.tif 000009
【図８】
2006192045.tif 000010
【図９】
2006192045.tif 000011
【図１０】
2006192045.tif 000012
【図１１】
2006192045.tif 000013
【図１２】
2006192045.tif 000014
【図１３】
2006192045.tif 000015
【図１４】
2006192045.tif 000016